(57)【要約】【課題】補充用のロール用紙が逆巻き方向でセットされることを確実に防止することができるロール用紙補充機構を提供する。【解決手段】正巻き方向として下繰り出しのロール用紙に印字を行うプリンタに適用され、プリンタの用紙ホッパ３０の後方に設けられ、補充用のロール用紙１００Ｒを用紙ホッパ３０に向けて回転下降させる斜面部１１と、斜面部１１の後方に斜面部１１に連続して設けられ、補充用のロール用紙１００Ｒをセットする補充用用紙セット部１２と、補充用用紙セット部１２の前方端部に設けられたストッパ１３と、補充用用紙セット部１２の後方に設けられ、補充用のロール用紙１００Ｒの先端１００ｐを挿入可能な用紙先端挿入孔部２１と、を有するロール用紙補充機構。【選択図】図１
2019073346.tif 000002
【特許請求の範囲】
【請求項１】
正巻き方向として下繰り出しのロール用紙に、印字を行うプリンタに適用され、
プリンタの用紙ホッパの後方に設けられ、該用紙ホッパから遠ざかるにつれ高位となる傾斜面状を呈し、補充用のロール用紙を該用紙ホッパに向けて回転下降させる斜面部と、
前記斜面部の後方に該斜面部に連続して設けられ、補充用のロール用紙を受容する補充用用紙セット部と、
前記補充用用紙セット部の前方端部に設けられ、該補充用用紙セット部に受容された補充用のロール用紙に接触して該ロール用紙の回転下降を阻止すると共に、現用のロール用紙を使い切った時には補充用のロール用紙への接触を解除して該ロール用紙の回転下降を許可するストッパと、
前記補充用用紙セット部の後方に設けられ、補充用のロール用紙の先端を挿入可能な用紙先端挿入孔部と、を有するロール用紙補充機構。
【請求項２】
前記補充用用紙セット部の上方に、前記補充用用紙セット部の後方にてロール用紙の幅方向に沿って延在する回転軸を中心として開閉可能に設けられたセット部カバーをさらに有し、
前記セット部カバーは、該補充用用紙セット部にセットされた補充用のロール用紙の外周に対応して湾曲したヘラ状を呈する請求項１に記載のロール用紙補充機構。
【請求項３】
前記用紙先端挿入孔部は、前記セット部カバーの前記回転軸の後方に設けられている請求項２に記載のロール用紙補充機構。
【請求項４】
前記セット部カバーは、前記回転軸に垂直な断面において、先端部が楔形を呈する請求項２または３に記載のロール用紙補充機構。
【請求項５】
前記セット部カバーは、前記回転軸に垂直な断面において、補充用のロール用紙の円周の１／３〜３／８に対応した長さである請求項２乃至４のいずれか一項に記載のロール用紙補充機構。
【請求項６】
前記セット部カバーは、閉じられて補充用のロール用紙に乗っかった時に該ロール用紙の回転下降を阻害しない重量である請求項２乃至５のいずれか一項に記載のロール用紙補充機構。
【請求項７】
前記用紙先端挿入孔部内にロール用紙の先端が挿入されているか否かを検出する用紙先端センサと、
前記用紙先端センサが前記用紙先端挿入孔部内にロール用紙の先端が挿入されていないと検出したときに、補充用のロール用紙が逆巻き方向で該補充用用紙セット部にセットされている旨を報知する逆巻きセット報知部と、をさらに有する請求項２乃至６のいずれか一項に記載のロール用紙補充機構。
【請求項８】
前記用紙先端センサは、前記セット部カバーが開かれた後に該セット部カバーが閉じられたときにときにロール用紙の先端の検出を開始し、所定の時間経過後にロール用紙の先端の検出を終了する請求項７に記載のロール用紙補充機構。
【請求項９】
請求項１乃至８のいずれか一項に記載のロール用紙補充機構を有するプリンタ。
【請求項１０】
請求項９に記載のプリンタを有する自動取引装置。
【発明の詳細な説明】
【技術分野】
【０００１】
本発明は、ロール用紙補充機構、プリンタおよび自動取引装置に関する。
【背景技術】
【０００２】
ＡＴＭ（Automated Teller Machine）等の自動取引装置に内蔵または隣接して設置されるプリンタには、印字媒体としてロール用紙を用いるものがある。ロール用紙に印字を行うプリンタには、用紙装填用紙ホッパに装填されている現用のロール用紙を使い切ったときに、補充用用紙セット部にセットされた補充用のロール用紙を自動的に補充するロール用紙補充機構を有するものがある。特許文献１〜３には、ロール用紙補充機構の類が開示されている。尚、特許文献１は、プリンタに用いるロール用紙ではなく、トイレ用ロール紙の補充機構を開示している。
【０００３】
ところで、ロール用紙補充機構を有するプリンタにおいては、補充用用紙セット部にセットすべきロール用紙の巻き方向が決まっている。プリンタは、補充用用紙セット部に正しい巻き方向でセットされたロール用紙（正巻きのロール用紙）に対してのみ印字が可能である一方、誤った巻き方向でセットされたロール用紙（逆巻きのロール用紙）に対して印字することはできない。
【０００４】
ただし、逆巻きのロール用紙であっても、用紙ホッパへの自動補充や、その後のプリンタ内部における搬送は可能である。つまり、補充用用紙セット部に補充用のロール用紙が逆巻き方向でセットされてしまうと、プリンタが印字を行えないばかりか、プリンタ内部に誤って搬送されてしまった用紙を回収する手間も加わるため、プリンタの利用に支障を来す。特に、自動取引装置に適用されたプリンタは、多くの場合に、プリンタの近辺にメインテナンスを行う者が常駐しないため、逆巻きのロール用紙のセットは、プリンタの利用に著しい支障を来すことになる。このため、ロール用紙補充機構を有するプリンタには、逆巻きのロール用紙のセットを防止する策が望まれる。
【０００５】
逆巻きのロール用紙のセットを防止する策としては、例えば、補充用用紙セット部の付近に、正巻きのロール用紙に○印を付す一方、逆巻きのロール用紙に×印を付した図が描かれ、正巻きでのセットを促すコーションラベルを貼り付けておく例がある。
【先行技術文献】
【特許文献】
【０００６】
【特許文献１】実開平０６−０６７４４７号公報
【特許文献２】実開平０３−０３３８４３号公報
【特許文献３】特開平０８−０４０６０６号公報
【発明の概要】
【発明が解決しようとする課題】
【０００７】
特許文献１〜３に開示されたものをも含め、本発明の関連技術によるロール用紙補充機構は、補充用のロール用紙が逆巻き方向でセットされることを防止する策が講じられていない。
【０００８】
また、前述したコーションラベルを貼り付けていたとしても、補充用のロール用紙をセットする者がコーションラベルを見逃したり、読み間違えるといった所謂ヒューマンエラーにより、補充用のロール用紙が逆巻き方向でセットされることを防止できない可能性がある。
【０００９】
このため、補充用のロール用紙が逆巻き方向でセットされることを確実に防止することができるロール用紙補充機構が望まれる。
【００１０】
本発明の目的は、補充用のロール用紙が逆巻き方向でセットされることを確実に防止することができるロール用紙補充機構を提供することである。
【００１１】
本発明の他の目的は、上記のようなロール用紙補充機構を有するプリンタを提供することである。
【００１２】
本発明のさらに他の目的は、上記のようなプリンタを有する自動取引装置を提供することである。
【課題を解決するための手段】
【００１３】
本発明によれば、正巻き方向として下繰り出しのロール用紙に、印字を行うプリンタに適用され、プリンタの用紙ホッパの後方に設けられ、該用紙ホッパから遠ざかるにつれ高位となる傾斜面状を呈し、補充用のロール用紙を該用紙ホッパに向けて回転下降させる斜面部と、前記斜面部の後方に該斜面部に連続して設けられ、補充用のロール用紙を受容する補充用用紙セット部と、前記補充用用紙セット部の前方端部に設けられ、該補充用用紙セット部に受容された補充用のロール用紙に接触して該ロール用紙の回転下降を阻止すると共に、現用のロール用紙を使い切った時には補充用のロール用紙への接触を解除して該ロール用紙の回転下降を許可するストッパと、前記補充用用紙セット部の後方に設けられ、補充用のロール用紙の先端を挿入可能な用紙先端挿入孔部と、を有するロール用紙補充機構が得られる。
【００１４】
本発明によればまた、前記ロール用紙補充機構を有するプリンタが得られる。
【００１５】
本発明によればさらに、前記プリンタを有する自動取引装置が得られる。
【発明の効果】
【００１６】
本発明によるロール用紙補充機構は、補充用のロール用紙が逆巻き方向でセットされることを確実に防止することができる。
【図面の簡単な説明】
【００１７】
【図１】本発明の第１の実施形態によるロール用紙補充機構の側面図である。
【図２】本発明の第１の実施形態によるロール用紙補充機構の動作を説明するための図であり、補充用のロール用紙を回転下降させている状態の斜視図である。
【図３】本発明の第１の実施形態によるロール用紙補充機構の動作を説明するための図であり、逆巻き方向である上繰り出しのロール用紙が本ロール用紙補充機構にセットされた状態の斜視図である。
【図４】本発明の第２の実施形態によるロール用紙補充機構の側面図である。
【図５】本発明の第２の実施形態によるロール用紙補充機構の動作を説明するための図であり、正巻き方向である下繰り出しのロール用紙を、本ロール用紙補充機構にセットするときの斜視図である。
【図６】本発明の第２の実施形態によるロール用紙補充機構の動作を説明するための図であり、正巻き方向である下繰り出しのロール用紙が、本ロール用紙補充機構にセットされた状態の斜視図である。
【図７】本発明の第２の実施形態によるロール用紙補充機構の動作を説明するための図であり、補充用のロール用紙を回転下降させている状態の斜視図である。
【図８】本発明の第２の実施形態によるロール用紙補充機構の動作を説明するための図であり、逆巻き方向である上繰り出しのロール用紙を、本ロール用紙補充機構にセットするときの斜視図である。
【図９】本発明の第２の実施形態によるロール用紙補充機構の動作を説明するための図であり、逆巻き方向である上繰り出しのロール用紙を、本ロール用紙補充機構にセットするときの斜視図である。
【図１０】本発明の第２の実施形態によるロール用紙補充機構の動作を説明するための図であり、正巻き方向である下繰り出しのロール用紙が、本ロール用紙補充機構にセットされた状態、特に、セット部カバーが開かれた状態の斜視図である。
【図１１】本発明の第２の実施形態によるロール用紙補充機構の動作を説明するための図であり、正巻き方向である下繰り出しのロール用紙が、本ロール用紙補充機構にセットされた状態、特に、セット部カバーが閉じられた状態の斜視図である。
【図１２】本発明の第３の実施形態によるロール用紙補充機構の側面図である。
【図１３】本発明の第３の実施形態によるロール用紙補充機構の動作を説明するための図であり、正巻き方向である下繰り出しのロール用紙を本ロール用紙補充機構にセットするときの斜視図である。
【図１４】本発明の第３の実施形態によるロール用紙補充機構の動作を説明するための図であり、正巻き方向である下繰り出しのロール用紙が、本ロール用紙補充機構にセットされた状態の斜視図である。
【図１５】本発明の第３の実施形態によるロール用紙補充機構の動作を説明するための図であり、補充用のロール用紙を回転下降させている状態の斜視図である。
【図１６】本発明の第３の実施形態によるロール用紙補充機構の動作を説明するための図であり、逆巻き方向である上繰り出しのロール用紙を、本ロール用紙補充機構にセットするときの斜視図である。
【図１７】本発明の第３の実施形態によるロール用紙補充機構の動作を説明するための図であり、逆巻き方向である上繰り出しのロール用紙を、本ロール用紙補充機構にセットするときの斜視図である。
【図１８】本発明の第３の実施形態によるロール用紙補充機構の動作を説明するための図であり、正巻き方向である下繰り出しのロール用紙が、本ロール用紙補充機構にセットされた状態、特に、セット部カバーが開かれた状態の斜視図である。
【図１９】本発明の第３の実施形態によるロール用紙補充機構の動作を説明するための図であり、正巻き方向である下繰り出しのロール用紙が、本ロール用紙補充機構にセットされた状態、特に、セット部カバーが閉じられた状態の斜視図である。
【図２０】（ａ）は正巻き方向としての下繰り出しのロール用紙の斜視図であり、（ｂ）は逆巻き方向としての上繰り出しのロール用紙の斜視図である。
【発明を実施するための形態】
【００１８】
以下、図面を参照して、本発明によるロール用紙補充機構、プリンタおよび自動取引装置を説明する。
【００１９】
図中、符号Ｗは幅方向（左方向Ｗｌ、右方向Ｗｒを含む）を示し、符号Ｈは高さ方向（下方向Ｈｌ、上方向Ｈｕを含む）を示し、符号Ｄは奥行方向（前方向Ｄｆ、後ろ方向Ｄｒを含む）を示している。
【００２０】
はじめに、ロール用紙の巻き方向について図２０（ａ）および（ｂ）を参照して説明する。図中、矢印ＦＷＤは、用紙の進行方向（搬送方向、装填方向）を示している。図２０（ａ）は下繰出しのロール用紙１００Ｃ（１００Ｒ）を示し、図２０（ｂ）は上繰出しのロール用紙１００Ｃ（１００Ｒ）を示している。
【００２１】
本発明のプリンタは、正巻き方向として図２０（ａ）に示す下繰出しのロール用紙に印字を行う。一方、逆巻き方向として図２０（ｂ）に示す上繰出しのロール用紙に印字を行うことができない。このため、本発明は、補充用のロール用紙が逆巻き方向でセットされることを防止するものである。
【００２２】
次に、本発明による自動取引装置としてのＡＴＭに内蔵されたプリンタについて説明する。図１等には、用紙装填機構およびロール用紙補充機構のみ図示しているが、本プリンタは、ＡＴＭに内蔵され、通帳と伝票の二種類の媒体に対して印字可能であり、各媒体の搬送機構と、印字部と、制御部とを有している。伝票の印字には、下繰出しのロール用紙を印字媒体として用いる。図中、符号１００Ｃは現用のロール用紙を示し、符号１００Ｒは補充用のロール用紙を示す。
【００２３】
本プリンタの用紙装填機構は、現用のロール用紙１００Ｃの外径よりも若干大きな内径の用紙ホッパ３０と、用紙ホッパ３０の底面に露出し、用紙ホッパ３０内でロール用紙１００Ｃを回転させるロール用紙保持ローラ４１、４２と、所定の圧力でロール用紙１００Ｃに接触し、ロール用紙１００Ｃの回転に応じてロール用紙１００Ｃの先端を剥離する剥離用爪４５と、剥離された用紙を図示しない印字部に向けて搬送する搬送ローラ４３と従動ローラ４４との対とを有している。ロール用紙保持ローラ４２および搬送ローラ４３はそれぞれ、図示しないモータによりベルトや歯車等を介して駆動される。各モータは、制御部によって制御される。
【００２４】
［第１の実施形態］
図１〜図３を参照すると、本発明の第１の実施形態によるロール用紙補充機構は、正巻き方向として下繰り出しのロール用紙に、印字を行うプリンタに適用され、斜面部１１と、補充用用紙セット部１２と、ストッパ１３とを有している。
【００２５】
斜面部１１は、プリンタの用紙ホッパ３０の後方に設けられ、用紙ホッパ３０から遠ざかるにつれ高位となる傾斜面状を呈し、補充用のロール用紙１００Ｒを用紙ホッパ３０に向けて回転下降させる。
【００２６】
補充用用紙セット部１２は、斜面部１１の後方に斜面部１１に連続して設けられ、補充用のロール用紙１００Ｒを受容する。ただし、補充用用紙セット部１２の底面も用紙ホッパ３０に近付くにつれ低位となる傾斜面状を呈しているため、後述するストッパによる堰止めが無ければ、補充用のロール用紙１００Ｒは，斜面部１１に向かって回転下降する。
【００２７】
ストッパ１３は、補充用用紙セット部１２の前方端部に設けられ、補充用用紙セット部１２に受容された補充用のロール用紙１００Ｒに接触してロール用紙１００Ｒの回転下降を阻止すると共に、現用のロール用紙１００Ｃを使い切った時には補充用のロール用紙１００Ｒへの接触を解除してロール用紙１００Ｒの回転下降を許可する。図２は、回転下降中のロール用紙１００Ｒを示している。
【００２８】
ストッパ１３は、リンク部１３Ｋを介してソレノイド１３Ｄによって駆動される。ソレノイド１３Ｄは、本ロール用紙補充機構の図示しない制御部の指示に応じて、現用のロール用紙１００Ｃを使い切った時に、補充用のロール用紙１００Ｒへの接触を解除するようにストッパ１３を駆動する。尚、この制御部は、本ロール用紙補充機構独自の制御部であってもよいし、あるいは、プリンタの制御部と兼用であってもよい。いずれにしても制御部は、情報を演算処理する演算部と、情報を記憶する記憶部と、情報を入出力するインターフェース部とを有し、演算部は、記憶部に記憶されたプログラムソフトウエアに基づき演算処理を行うコンピュータの一種である。
【００２９】
第１の実施形態によるロール用紙補充機構はさらに、用紙先端挿入孔部２１を有している。
【００３０】
用紙先端挿入孔部２１は、補充用用紙セット部１２の後方に、上下方向に延在するように設けられ、補充用のロール用紙１００Ｒの先端１００ｐを挿入可能に構成されている。用紙先端挿入孔部２１は、下端が貫通していてもよいし、ロール用紙１００Ｒの先端１００ｐの挿入代を十分に確保できるのであれば、有底であってもよい。
【００３１】
さて、ロール用紙を補充すべき者は、補充用用紙セット部１２にロール用紙１００Ｒをセットするが、その際に、ロール用紙１００Ｒの先端１００ｐを用紙先端挿入孔部２１に挿入する操作をロール用紙を補充すべき者に課すようにする。即ち、ロール用紙を補充すべき者は、ロール用紙の補充時に、図１に示す状態とする。
【００３２】
ここで、正巻き方向として下繰り出しのロール用紙１００Ｒが補充用用紙セット部１２に図１に示すようにセットされると、ストッパ１３の補充用のロール用紙１００Ｒに対する接触が解除されたときに、ロール用紙１００Ｒの回転下降に伴って、ロール用紙１００Ｒの先端１００ｐは、用紙先端挿入孔部２１から自動的に抜去され、ロール用紙１００Ｒは用紙ホッパ３０に向かって図２に示すように回転下降する。
【００３３】
一方、図３に示すように、逆巻き方向として上繰り出しのロール用紙１００Ｒを補充用用紙セット部１２にセットしようとすると、ロール用紙１００Ｒの先端１００ｐを用紙先端挿入孔部２１に挿入する際に、用紙が側面視上ループ状となるように、即ち、用紙を反り返えさせる必要がある。このため、ロール用紙を補充すべき者は、その操作に違和感を覚え、ロール用紙１００Ｒを、誤った逆巻き方向にセットしてしまったと気が付く。
【００３４】
以上のように、本発明の第１の実施形態によるロール用紙補充機構は、ロール用紙を補充すべき者にとっては補充用のロール用紙の先端を用紙先端挿入孔部に挿入するという操作負担が増加するものの、用紙先端挿入孔部を有さない構成に比べてより確実に、補充用のロール用紙が逆巻き方向でセットされることを防止することができる。
【００３５】
［第２の実施形態］
本発明の第２の実施形態は、セット部カバーをさらに有する点で、第１の実施形態と異なっている。このため、第１の実施形態と同一部または同様部については、第１の実施形態の説明を援用することとし、詳細な説明を省略する。
【００３６】
図４〜図１１を参照すると、本発明の第２の実施形態によるロール用紙補充機構は、第１の実施形態と同様に、正巻き方向として下繰り出しのロール用紙に、印字を行うプリンタに適用され、斜面部１１と、補充用用紙セット部１２と、ストッパ１３と、用紙先端挿入孔部２１とを有している。
【００３７】
第２の実施形態によるロール用紙補充機構はさらに、セット部カバー２２を有している。
【００３８】
セット部カバー２２は、補充用用紙セット部１２の上方に、補充用用紙セット部１２の後方にてロール用紙１００Ｒの幅方向に沿って延在する回転軸２２Ｘを中心として開閉可能に設けられている。用紙先端挿入孔部２１は、セット部カバー２２の回転軸２２Ｘの後方に設けられている。
【００３９】
セット部カバー２２は、回転軸２２Ｘに垂直な断面において、先端部２２ｐが楔形を呈している。また、セット部カバー２２は、回転軸２２Ｘに垂直な断面において、補充用のロール用紙１００Ｒの円周の１／３〜３／８程度に対応した長さである。さらに、セット部カバー２２は、図４等に示すように閉じられて補充用のロール用紙１００Ｒに乗っかった時に、ロール用紙１００Ｒの回転下降を阻害しない重量である。
【００４０】
さて、ロール用紙を補充すべき者は、補充用用紙セット部１２にロール用紙１００Ｒをセットするが、その際に、第１の実施形態と同様に、ロール用紙１００Ｒの先端１００ｐを用紙先端挿入孔部２１に挿入する操作をロール用紙を補充すべき者に課すようにする。即ち、ロール用紙を補充すべき者は、ロール用紙の補充時に、図４に示す状態とする。
【００４１】
より詳しくは、ロール用紙を補充すべき者は、図５に示すように、セット部カバー２２を上方に開き、開かれたセット部カバー２２上にロール用紙１００Ｒの先端１００ｐを覆い被せつつロール用紙１００Ｒの先端１００ｐを用紙先端挿入孔部２１に挿入する。
【００４２】
続いて、ロール用紙１００Ｒの残部を補充用用紙セット部１２にセットし、セット部カバー２２を閉じ、図６に示す状態とする。尚、本例において、セット部カバー２２は、自重によって自動的に閉じる。
【００４３】
ここで、正巻き方向として下繰り出しのロール用紙１００Ｒが補充用用紙セット部１２に図６に示すようにセットされると、ストッパ１３の補充用のロール用紙１００Ｒに対する接触が解除されたときに、ロール用紙１００Ｒの回転下降に伴って、ロール用紙１００Ｒの先端１００ｐは、用紙先端挿入孔部２１から自動的に抜去されると共に、セット部カバー２２もロール用紙１００Ｒの先端１００ｐと残部との間から自動的に抜去され、ロール用紙１００Ｒは用紙ホッパ３０に向かって図７に示すように回転下降する。
【００４４】
一方、図８に示すように、逆巻き方向として上繰り出しのロール用紙１００Ｒを補充用用紙セット部１２にセットしようとすると、ロール用紙１００Ｒの先端１００ｐを開かれたセット部カバー２２上に覆い被せる際に、用紙が側面視上ループ状となるように用紙を反り返らせる必要がある。このため、ロール用紙を補充すべき者は、その操作に違和感を覚え、ロール用紙１００Ｒを、誤った逆巻き方向にセットしてしまったと気が付く。
【００４５】
さらに、仮に、用紙を反り返らせることにロール用紙を補充する者が違和感を覚えなくても、図９に示すように、用紙のループ内側面に対してセット部カバー２２の断面楔形の先端部２２ｐが接触し、摩擦力が生ずるため、ロール用紙を補充する者は、ロール用紙１００Ｒの先端１００ｐを用紙先端挿入孔部２１に挿入する操作を、容易に行うことができない。よって、ロール用紙を補充すべき者は、その操作に違和感を覚え、ロール用紙１００Ｒを、誤った逆巻き方向にセットしてしまったと気が付く。
【００４６】
さらにまた、仮に、用紙のループ内側面とセット部カバー２２の先端部２２ｐとの間の摩擦力に違和感を覚えないまま、ロール用紙を補充する者が、図１０に示すように、ロール用紙１００Ｒの先端１００ｐの用紙先端挿入孔部２１への挿入を完了してしまったとしても、セット部カバー２２が自重または操作によって閉じられると、図１１に示すように、閉じられるセット部カバー２２により、ロール用紙１００Ｒの先端１００ｐは、用紙先端挿入孔部２１から自動的に抜去される。よって、ロール用紙を補充すべき者は、操作を課せられているロール用紙１００Ｒの先端１００ｐの用紙先端挿入孔部２１への挿入が勝手にキャンセルされてしまったことに違和感を覚え、ロール用紙１００Ｒを、誤った逆巻き方向にセットしてしまったと気が付く。
【００４７】
以上のように、本発明の第２の実施形態によるロール用紙補充機構は、ロール用紙を補充すべき者にとっては、第１の実施形態と同様に補充用のロール用紙の先端を用紙先端挿入孔部に挿入するという操作負担、さらに、セット部カバーを開いたり、セット部カバーの先端部をロール用紙の先端と残部との間に入り込ませるといった操作負担が増加するものの、用紙先端挿入孔部を有さない構成よりも確実に、さらに、第１の実施形態よりも確実に、補充用のロール用紙が逆巻き方向でセットされることを防止することができる。
【００４８】
［第３の実施形態］
本発明の第３の実施形態は、用紙先端センサおよび逆巻きセット報知部をさらに有する点で、第２の実施形態と異なっている。このため、第２の実施形態と同一部または同様部については、第２の実施形態の説明を援用することとし、詳細な説明を省略する。
【００４９】
図１２〜図１９を参照すると、本発明の第３の実施形態によるロール用紙補充機構は、第２の実施形態と同様に、正巻き方向として下繰り出しのロール用紙に、印字を行うプリンタに適用され、斜面部１１と、補充用用紙セット部１２と、ストッパ１３と、用紙先端挿入孔部２１と、セット部カバー２２とを有している。
【００５０】
第３の実施形態によるロール用紙補充機構はさらに、用紙先端センサ２３と、図示しない逆巻きセット報知部とを有している。
【００５１】
用紙先端センサ２３は、用紙先端挿入孔部２２内にロール用紙１００Ｒの先端１００ｐが挿入されているか否かを検出する。本例において、用紙先端センサ２３は、検出光の出射部と受光部とを有し、両部間に検出光を遮断するール用紙１００Ｒの先端１００ｐの有無を検出する光学式センサである。ただし、本発明においては、反射光を検出する光学式センサであってもよいし、光学式以外の検出手段であってもよい。
【００５２】
逆巻きセット報知部は、用紙先端挿入孔部２２内にロール用紙１００Ｒの先端１００ｐが挿入されていないと用紙先端センサ２３が検出したときに、補充用のロール用紙１００Ｒが逆巻き方向で補充用用紙セット部１２にセットされている旨をロール用紙を補充する者に対して報知する。具体的には、逆巻き方向でセットされている旨を、光や表示、音声、振動等によってロール用紙を補充する者に報知する。
【００５３】
用紙先端センサ２３および逆巻きセット報知部は、例えば、前述した制御部に接続されている。制御部は、用紙先端センサが、セット部カバー２２が一旦開かれた後に閉じられたときにロール用紙の先端の検出を開始し、所定の経過時間後にロール用紙の先端の検出を終了するように設定されたプログラムに基づいて、用紙先端センサ２３および逆巻きセット報知部を制御する。
【００５４】
さて、ロール用紙を補充すべき者は、補充用用紙セット部１２にロール用紙１００Ｒをセットするが、その際に、第２の実施形態と同様に、ロール用紙１００Ｒの先端１００ｐを用紙先端挿入孔部２１に挿入する操作をロール用紙を補充すべき者に課すようにする。即ち、ロール用紙を補充すべき者は、ロール用紙の補充時に、図１２に示す状態とする。
【００５５】
より詳しくは、ロール用紙を補充すべき者は、図１３に示すように、セット部カバー２２を上方に開き、開かれたセット部カバー２２上にロール用紙１００Ｒの先端１００ｐを覆い被せつつロール用紙１００Ｒの先端１００ｐを用紙先端挿入孔部２１に挿入する。
【００５６】
続いて、ロール用紙１００Ｒの残部を補充用用紙セット部１２にセットし、セット部カバー２２を閉じ、図１４に示す状態とする。尚、本例においても、セット部カバー２２は、自重によって自動的に閉じる。
【００５７】
セット部カバー２２が閉じられた時点で、用紙先端センサ２３は、用紙先端検出を開始し、用紙先端挿入孔部２２内にロール用紙１００Ｒの先端１００ｐが挿入されていないときは、逆巻き方向でセットされている旨を用紙を補充する者に対して報知する。検出開始してから所定時間後、用紙先端センサ２３は、用紙先端検出を終了する。
【００５８】
ここで、正巻き方向として下繰り出しのロール用紙１００Ｒが補充用用紙セット部１２に図１４に示すようにセットされると、ストッパ１３の補充用のロール用紙１００Ｒに対する接触が解除されたときに、ロール用紙１００Ｒの回転下降に伴って、ロール用紙１００Ｒの先端１００ｐは、用紙先端挿入孔部２１から自動的に抜去されると共に、セット部カバー２２もロール用紙１００Ｒの先端１００ｐと残部との間から自動的に抜去され、ロール用紙１００Ｒは用紙ホッパ３０に向かって図１５に示すように回転下降する。
【００５９】
一方、図１６に示すように、逆巻き方向として上繰り出しのロール用紙１００Ｒを補充用用紙セット部１２にセットしようとすると、ロール用紙１００Ｒの先端１００ｐを開かれたセット部カバー２２上に覆い被せる際に、用紙が側面視上ループ状となるように用紙を反り返らせる必要がある。このため、ロール用紙を補充すべき者は、その操作に違和感を覚え、ロール用紙１００Ｒを、誤った逆巻き方向にセットしてしまったと気が付く。
【００６０】
さらに、仮に、用紙を反り返らせることにロール用紙を補充する者が違和感を覚えなくても、図１７に示すように、用紙のループ内側面に対してセット部カバー２２の断面楔形の先端部２２ｐが接触し、摩擦力が生ずるため、ロール用紙を補充する者は、ロール用紙１００Ｒの先端１００ｐを用紙先端挿入孔部２１に挿入する操作を、容易に行うことができない。よって、ロール用紙を補充すべき者は、その操作に違和感を覚え、ロール用紙１００Ｒを、誤った逆巻き方向にセットしてしまったと気が付く。
【００６１】
さらにまた、仮に、用紙のループ内側面とセット部カバー２２の先端部２２ｐとの間の摩擦力に違和感を覚えないまま、ロール用紙を補充する者が、図１８に示すように、ロール用紙１００Ｒの先端１００ｐの用紙先端挿入孔部２１への挿入を完了してしまったとしても、セット部カバー２２が自重または操作によって閉じられると、図１９に示すように、閉じられるセット部カバー２２により、ロール用紙１００Ｒの先端１００ｐは、用紙先端挿入孔部２１から自動的に抜去される。よって、ロール用紙を補充すべき者は、操作を課せられているロール用紙１００Ｒの先端１００ｐの用紙先端挿入孔部２１への挿入が勝手にキャンセルされてしまったことに違和感を覚え、ロール用紙１００Ｒを、誤った逆巻き方向にセットしてしまったと気が付く。
【００６２】
これに加えて、セット部カバー２２が閉じられた時点で用紙先端センサ２３が用紙先端検出を開始し、用紙先端挿入孔部２２内にロール用紙１００Ｒの先端１００ｐが挿入されていないときは逆巻き方向でセットされている旨を用紙を補充する者に対して報知するため、ロール用紙を補充する者は、違和感を覚えずとも、報知に基づき誤った逆巻き方向にセットしてしまったと気が付く。尚、検出開始してから所定時間後、用紙先端センサ２３は、用紙先端検出を終了する。
【００６３】
以上のように、本発明の第３の実施形態によるロール用紙補充機構は、ロール用紙を補充すべき者にとっては、第２の実施形態と同様に補充用のロール用紙の先端を用紙先端挿入孔部に挿入するという操作負担、さらに、セット部カバーを開いたり、セット部カバーの先端部をロール用紙の先端と残部との間に入り込ませるといった操作負担が増加するものの、用紙先端挿入孔部を有さない構成よりも確実に、さらに、第１および第２の実施形態よりも確実に、補充用のロール用紙が逆巻き方向でセットされることを防止することができる。
【符号の説明】
【００６４】
１１    斜面部
１２    補充用用紙セット部
１３    ストッパ
１３Ｄ  ソレノイド
１３Ｋ  リンク部
２１    用紙先端挿入孔部
２２    セット部カバー
２２ｐ  先端部
２３    用紙先端センサ
３０    用紙ホッパ
４１、４２    ロール用紙保持ローラ
４３    搬送ローラ
４４    従動ローラ
４５    剥離用爪
１００Ｃ、１００Ｒ  ロール用紙
１００ｐ  先端
【図１】
2019073346.tif 000003
【図２】
2019073346.tif 000004
【図３】
2019073346.tif 000005
【図４】
2019073346.tif 000006
【図５】
2019073346.tif 000007
【図６】
2019073346.tif 000008
【図７】
2019073346.tif 000009
【図８】
2019073346.tif 000010
【図９】
2019073346.tif 000011
【図１０】
2019073346.tif 000012
【図１１】
2019073346.tif 000013
【図１２】
2019073346.tif 000014
【図１３】
2019073346.tif 000015
【図１４】
2019073346.tif 000016
【図１５】
2019073346.tif 000017
【図１６】
2019073346.tif 000018
【図１７】
2019073346.tif 000019
【図１８】
2019073346.tif 000020
【図１９】
2019073346.tif 000021
【図２０】
2019073346.tif 000022